【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
一または複数の患者のサンプルを分析するための一または複数のＰＯＣ分析器（１０．１〜１０．ｎ）であって、前記一または複数のＰＯＣ分析器（１０．１〜１０．ｎ）を識別するための分析器識別子をそれぞれ備える一または複数のＰＯＣ分析器（１０．１〜１０．ｎ）と、
対応する前記分析器識別子に基づいて、前記一または複数のＰＯＣ分析器（１０．１〜１０．ｎ）を識別するように構成されている携帯型演算装置（２０）であって、構成コマンドを受信するように構成されているユーザーインターフェース（２２）を備える携帯型演算装置（２０）と、
前記一または複数のＰＯＣ分析器（１０．１〜１０．ｎ）に対応するシステムパラメーターを保存するためのサーバー（５０）と、
前記一または複数のＰＯＣ分析器（１０．１〜１０．ｎ）および前記携帯型演算装置（２０）を前記サーバー（５０）に通信可能に接続するように構成されている通信ネットワーク（７０）と
を備えるポイント・オブ・ケアＰＯＣテスティングシステム（１）であって、
前記携帯型演算装置（２０）が、前記構成コマンドにしたがって構成リクエストを生成するようにさらに構成され、前記構成リクエストは、識別されたＰＯＣ分析器（１０．１〜１０．ｎ）の分析器識別子を含み、
前記携帯型演算装置（２０）が、前記構成リクエストを前記サーバー（５０）に伝達するようにさらに構成され、
前記サーバー（５０）が、
前記構成リクエストを受信し、
少なくとも一つの識別されたＰＯＣ分析器（１０．１〜１０．ｎ）に対応する少なくとも一つのシステムパラメーターをアップデートし、および、
少なくとも一つの識別されたＰＯＣ分析器（１０．１〜１０．ｎ）に、少なくとも一つの分析器パラメーターアップデートを含む分析器アップデートコマンドを伝達するようにさらに構成され、
前記一または複数のＰＯＣ分析器（１０．１〜１０．ｎ）が、前記分析器アップデートコマンドを受信するように、および対応する前記分析器パラメーターアップデートに基づいて少なくとも一つの分析器パラメーターをアップデートするように構成されているポイント・オブ・ケアＰＯＣテスティングシステム（１）。
【請求項２】
前記一または複数のＰＯＣ分析器（１０．１〜１０．ｎ）が、特定の事象の発生時および／または一定の間隔で、分析器アップデートを要求するように構成される請求項１記載のポイント・オブ・ケアＰＯＣテスティングシステム（１）。
【請求項３】
前記携帯型演算装置（２０）によって受信される前記構成コマンドが、前記識別されたＰＯＣ分析器（１０．１〜１０．ｎ）の位置変更に対応する位置変更コマンドを含み、
前記携帯型演算装置（２０）によって前記サーバー（５０）に伝達された前記構成リクエストが、前記位置変更コマンドを含み、
前記サーバー（５０）が、前記識別されたＰＯＣ分析器（１０．１〜１０．ｎ）の位置変更にしたがって一または複数のシステムパラメーターをアップデートするようにさらに構成され、
前記サーバー（５０）が、前記識別されたＰＯＣ分析器（１０．１〜１０．ｎ）の位置変更にしたがって少なくとも一つの分析器パラメーターアップデートを取得するようにさらに構成され、および
前記サーバー（５０）が、前記識別されたＰＯＣ分析器（１０．１〜１０．ｎ）に、少なくとも一つの取得された前記分析器パラメーターアップデートを伝達するようにさらに構成される請求項１または２記載のポイント・オブ・ケアＰＯＣテスティングシステム（１）。
【請求項４】
前記ポイント・オブ・ケアＰＯＣテスティングシステム（１）が、第一のＰＯＣ分析器（１０．１）と第二のＰＯＣ分析器（１０．２）とを少なくとも備え、
前記携帯型演算装置（２０）が、前記第一のＰＯＣ分析器（１０．１）および前記第二のＰＯＣ分析器（１０．２）をそれぞれ前記対応する分析器識別子に基づいて識別するように構成され、
前記携帯型演算装置（２０）によって受信される前記構成コマンドが、前記第一のＰＯＣ分析器（１０．１）の前記第二のＰＯＣ分析器（１０．２）による交換に対応する交換コマンドを含み、
前記携帯型演算装置（２０）によって前記サーバー（５０）に伝達される前記構成リクエストが、前記交換コマンドと、前記第一のＰＯＣ分析器（１０．１）および前記第二のＰＯＣ分析器（１０．２）に対応する前記分析器識別子とを含み、
前記サーバー（５０）が、前記第一のＰＯＣ分析器（１０．１）に対応する前記一または複数のシステムパラメーターを取得するようにさらに構成され、
前記サーバー（５０）が、取得された前記システムパラメーターを使用して、前記第二のＰＯＣ分析器（１０．２）に対応するシステムパラメーターをアップデートするようにさらに構成され、
前記サーバー（５０）が、前記第一のＰＯＣ分析器（１０．１）に対応する前記一または複数の分析器パラメーターを取得するようにさらに構成され、
前記サーバー（５０）が、前記第二のＰＯＣ分析器（１０．２）に、取得された前記分析器パラメーターを伝達するようにさらに構成される、請求項１〜３のいずれか１項に記載のポイント・オブ・ケアＰＯＣテスティングシステム（１）。
【請求項５】
前記サーバー（５０）が、
前記一または複数のＰＯＣ分析器（１０．１〜１０．ｎ）から、患者の健康に関わるパラメーターの測定を示すデータなどの分析データを取得する、
ソフトウェアアップデートなどの、前記一または複数のＰＯＣ分析器（１０．１〜１０．ｎ）のプログラムデータをアップデートする
ように構成される請求項１〜４のいずれか１項に記載のポイント・オブ・ケアＰＯＣテスティングシステム（１）。
【請求項６】
一または複数の患者のサンプルを分析するための一または複数のＰＯＣ分析器（１０．１〜１０．ｎ）であって、前記一または複数のＰＯＣ分析器（１０．１〜１０．ｎ）を識別するための分析器識別子をそれぞれ備える一または複数のＰＯＣ分析器（１０．１〜１０．ｎ）を提供する工程、
携帯型演算装置（２０）を提供する工程、
前記一または複数のＰＯＣ分析器（１０．１〜１０．ｎ）に対応するシステムパラメーターを保存するためのサーバー（５０）を提供する工程、
通信ネットワーク（７０）によって、前記一または複数のＰＯＣ分析器（１０．１〜１０．ｎ）および前記携帯型演算装置（２０）を前記サーバー（５０）に通信可能に接続する工程、
対応する前記分析器識別子に基づいて、前記一または複数のＰＯＣ分析器（１０．１〜１０．ｎ）の少なくとも一つを前記携帯型演算装置（２０）が識別する工程、
前記携帯型演算装置（２０）のユーザーインターフェース（２２）を介して構成コマンドを受信する工程、
前記携帯型演算装置（２０）が、前記構成コマンドにしたがって構成リクエストを生成する工程であって、前記構成リクエストは、識別されたＰＯＣ分析器（１０．１〜１０．ｎ）の分析器識別子を含んでいる、構成リクエストを生成する工程、
前記携帯型演算装置（２０）が、前記サーバー（５０）に前記構成リクエストを伝達する工程、
前記サーバー（５０）が、前記構成リクエストを受信する工程、
前記サーバー（５０）が、前記識別されたＰＯＣ分析器（１０．１〜１０．ｎ）に対応する少なくとも一つのシステムパラメーターをアップデートする工程、
前記サーバー（５０）が、前記識別されたＰＯＣ分析器（１０．１〜１０．ｎ）に分析器アップデートコマンドを伝達する工程であって、前記分析器アップデートコマンドが少なくとも一つの分析器パラメーターアップデートを含んでいる、分析器アップデートコマンドを伝達する工程、
前記識別されたＰＯＣ分析器（１０．１〜１０．ｎ）が、それぞれの前記分析器アップデートコマンドを受信する工程、および
前記識別されたＰＯＣ分析器（１０．１〜１０．ｎ）が、対応する前記分析器パラメーターアップデートに基づいて少なくとも一つの分析器パラメーターをアップデートする工程
を含むポイント・オブ・ケアＰＯＣテスティングシステム（１）の構成のための方法。
【請求項７】
前記サーバー（５０）が、前記識別されたＰＯＣ分析器（１０．１〜１０．ｎ）に、少なくとも一つの前記分析器パラメーターアップデートを含む分析器アップデートコマンドを伝達する工程、
前記識別されたＰＯＣ分析器（１０．１〜１０．ｎ）が、前記分析器アップデートコマンドを受信する工程、および
前記識別されたＰＯＣ分析器（１０．１〜１０．ｎ）が、対応する前記分析器パラメーターアップデートに基づいて少なくとも一つの分析器パラメーターをアップデートする工程
が、前記一または複数のＰＯＣ分析器（１０．１〜１０．ｎ）が特定の事象の発生時および／または一定の間隔で分析器アップデートを要求することによって開始される請求項６記載のポイント・オブ・ケアＰＯＣテスティングシステム（１）の構成のための方法。
【請求項８】
前記識別されたＰＯＣ分析器（１０．１〜１０．ｎ）の位置変更に対応する位置変更コマンドを受信する工程であって、前記位置変更コマンドが、前記構成コマンド内に含まれている、位置変更コマンドを受信する工程、
前記携帯型演算装置（２０）が、前記サーバー（５０）に前記位置変更コマンドを伝達する工程であって、前記位置変更コマンドが、前記構成リクエスト内に含まれている、位置変更コマンドを伝達する工程、
前記サーバー（５０）が、前記識別されたＰＯＣ分析器（１０．１〜１０．ｎ）の位置変更にしたがって、一または複数のシステムパラメーターをアップデートする工程、
前記サーバー（５０）が、前記一または複数のＰＯＣ分析器（１０．１〜１０．ｎ）の位置変更にしたがって、少なくとも一つの分析器パラメーターアップデートを取得する工程、
前記識別されたＰＯＣ分析器（１０．１〜１０．ｎ）に前記取得された分析器パラメーターアップデートを伝達する工程
をさらに含む請求項６または７記載のポイント・オブ・ケアＰＯＣテスティングシステム（１）の構成のための方法。
【請求項９】
前記携帯型演算装置（２０）が、第一のＰＯＣ分析器（１０．１）および第二のＰＯＣ分析器（１０．２）をそれぞれ対応する前記分析器識別子に基づいて識別する工程、
前記第一のＰＯＣ分析器（１０．１）の前記第二のＰＯＣ分析器（１０．２）による交換に対応する交換コマンドを取得する工程、
前記携帯型演算装置（２０）が、前記サーバー（５０）に、前記構成リクエストの中で前記交換コマンドを伝達する工程であって、前記構成リクエストが、前記第一のＰＯＣ分析器（１０．１）および前記第二のＰＯＣ分析器（１０．２）に対応する前記分析器識別子を含んでいる、交換コマンドを伝達する工程、
前記サーバー（５０）が、前記第一のＰＯＣ分析器（１０．１）に対応する前記一または複数のシステムパラメーターを取得する工程、
前記サーバー（５０）が、取得された前記システムパラメーターを使用して、前記第二のＰＯＣ分析器（１０．２）に対応するシステムパラメーターをアップデートする工程、
前記サーバー（５０）が、前記第一のＰＯＣ分析器（１０．１）に対応する前記一または複数の分析器パラメーターを取得する工程、
前記サーバー（５０）が、前記第二のＰＯＣ分析器（１０．２）に、取得された前記分析器パラメーターを伝達する工程
をさらに含む請求項６〜８のいずれか１項に記載のポイント・オブ・ケアＰＯＣテスティングシステム（１）の構成のための方法。
【請求項１０】
前記一または複数のＰＯＣ分析器（１０．１〜１０．ｎ）から分析データを取得する工程、および／または
前記一または複数のＰＯＣ分析器（１０．１〜１０．ｎ）のプログラムデータをアップデートする工程
をさらに含む請求項６〜９のいずれか１項に記載のポイント・オブ・ケアＰＯＣテスティングシステム（１）の構成のための方法。